(57)【要約】【課題】  行先可能階が複数ある場合でも、行先呼びの誤登録を未然に防止し、乗客を確実に所望の階まで案内できるエレベータの行先呼び登録装置を得る。【解決手段】  乗客を識別する個人認識装置１と、アナウンスを行うアナウンス装置７と、あらかじめ乗客毎に行く可能性のある行先階を記憶させておく行先階記憶手段１１と、行先階を登録する行先階登録手段１２と、乗場に設置された行先釦３が操作され、この行先釦３を操作した乗客が個人認識装置１によりあらかじめ登録した乗客であることが識別されると、その操作対象の行先階と行先階記憶手段１１に記憶されている行先階とを照合し、一致していればその行先階の呼びを行先階登録手段１２に登録し、一致していなければその行先階の呼びを登録せずに、アナウンス装置７によりアナウンスさせる制御手段１０とを備える。【選択図】        図２
2006151540.tif 000002
【特許請求の範囲】
【請求項１】
乗場に設置され、乗客を識別する個人認識装置と、
乗場に設置され、アナウンスを行うアナウンス装置と、
あらかじめ上記乗客毎に行く可能性のある行先階を記憶させておく行先階記憶手段と、
上記行先階を登録する行先階登録手段と、
乗場に設置された行先釦が操作され、該行先釦を操作した乗客が上記個人認識装置によりあらかじめ登録した乗客であることが識別されると、その操作対象の行先階と上記行先階記憶手段に記憶されている行先階とを照合し、一致していればその行先階の呼びを上記行先階登録手段に登録し、一致していなければその行先階の呼びを登録せずに、上記アナウンス装置によりアナウンスさせる制御手段と
を備えたことを特徴とするエレベータの行先呼び登録装置。
【請求項２】
上記制御手段は、再度同じ行先釦が操作された時、行先階の呼びを上記行先階登録手段に登録させることを特徴とする請求項１記載のエレベータの行先呼び登録装置。
【請求項３】
乗場に設置され、乗客を識別する個人認識装置と、
乗場に設置され、アナウンスを行うアナウンス装置と、
あらかじめ上記乗客毎に行く可能性のある行先階を記憶させておく行先階記憶手段と、
上記行先階を登録する行先階登録手段と、
乗場に設置された行先釦が操作され、該行先釦を操作した乗客が上記個人認識装置によりあらかじめ登録した乗客であることが識別されると、その操作対象の行先階と上記行先階記憶手段に記憶されている行先階とを照合し、一致していればその行先階の呼びを上記行先階登録手段に登録し、一致していなければその行先階の呼びを上記行先階登録手段に登録すると共に、上記アナウンス装置によりアナウンスさせる制御手段と
を備えたことを特徴とするエレベータの行先呼び登録装置。
【請求項４】
上記行先階憶手段に記憶される行先階を、上記乗客が過去に所定回数または所定以上の確率で行った階とすることを特徴とする請求項１〜３のいずれかに記載のエレベータの行先呼び登録装置。
【請求項５】
上記個人認識装置、上記アナウンス装置および上記行先釦が、いずれもかご内にも設置されていることを特徴とする請求項１〜４のいずれかに記載のエレベータの行先呼び登録装置。
【発明の詳細な説明】
【技術分野】
【０００１】
この発明は、乗客を個人認識して行先釦を表示し、表示した行先釦の中から乗客が選択した行先釦のかご呼びを登録するエレベータの行先呼び登録装置に関するものである。
【背景技術】
【０００２】
従来、各階の乗場に行先釦の呼びを登録する行先釦を設け、この行先釦が設けられた階から所定範囲内の階は行先釦による乗場行先呼びの登録を阻止するエレベータにおいて、所定範囲内の階のかご呼びを持つかごが生じると、所定範囲内の階の乗場行先呼びの登録阻止を解除することで、待客に不信感を与えないようにするものがある（例えば、特許文献１参照）。
【０００３】
【特許文献１】特開平５−８９５０号公報
【発明の開示】
【発明が解決しようとする課題】
【０００４】
近年、高齢者が増加し福祉施設などにおいては、エレベータの操作を簡単にする必要があり、行先階のかご呼びを自動登録することが望まれる。その手段として、例えば、上記公報に記載されているような乗場に行先釦を設ける方法が提案されているが、しかし、高齢者は間違って他階の行先釦を操作してしまい、更に操作間違いに気付かないまま目的階と別の階に行く可能性がある等の問題点があった。
【０００５】
この発明は、上記のような課題を解決するためになされたもので、行く可能性のある行先階が複数あっても、行先呼びの誤登録を未然に防止し、乗客を確実に所望の階まで案内できるエレベータの行先呼び登録装置を提供することを目的とする。
【課題を解決するための手段】
【０００６】
この発明に係るエレベータの行先呼び登録装置は、乗場に設置され、乗客を識別する個人認識装置と、乗場に設置され、アナウンスを行うアナウンス装置と、あらかじめ乗客毎に行く可能性のある行先階を記憶させておく行先階記憶手段と、行先階を登録する行先階登録手段と、乗場に設置された行先釦が操作され、該行先釦を操作した乗客が上記個人認識装置によりあらかじめ登録した乗客であることが識別されると、その操作対象の行先階と行先階記憶手段に記憶されている行先階とを照合し、一致していればその行先階の呼びを行先階登録手段に登録し、一致していなければその行先階の呼びを登録せずに、アナウンス装置によりアナウンスさせる制御手段とを備えたものである。
【発明の効果】
【０００７】
この発明は、誤って行先釦を操作した乗客に対してその間違いに容易に且つ迅速に気付かせることができ、以って、行先呼びの誤登録を未然に防止して乗客を確実に所望の階まで案内でき、特に、操作間違いを生じやすい高齢者等の乗客には有用である。
【発明を実施するための最良の形態】
【０００８】
以下、この発明の一実施の形態を、図１〜図４を参照して説明する。
実施の形態１．
図１は、この発明の実施の形態１によるエレベータの行先呼び登録装置を示す全体構成図である。
図１において、乗場に設けられ、指紋検出器や個人が携帯する非接触カードなど（図示せず）から発せられる信号を受信して、個人認識を行い個人情報(例えばＩＤ番号等)を出力する乗場個人認識装置１と、かご内に設けられ、指紋検出器や個人が携帯する非接触カードなど（図示せず）から発せられる信号を受信して、個人認識を行い個人情報(例えばＩＤ番号等)を出力するかご内個人認識装置２と、乗場に設けられ、乗場呼びを登録する乗場行先釦３と、かご内に設けられ、行先呼びを登録するかご内行先釦４と、乗場行先釦３に組込まれ、乗場行先呼びが登録されると点灯して乗場の乗客に知らせる乗場行先釦灯５と、かご内行先釦４に組込まれ、かご内行先呼びが登録されると点灯してかご内の乗客に知らせるかご内行先釦灯６と、乗場に設けられた乗場アナウンス装置７と、かご内に設けられたかご内アナウンス装置８と、入力信号を処理して出力するマイクロコンピュータ９とが設けられる。
【０００９】
マイクロコンピュータ９は、乗場個人認識装置１、かご内個人認識装置２、乗場行先釦３およびかご内行先釦４が接続された入力回路９ａと、この入力回路９ａからの情報を入力して処理するＣＰＵ９ｂと、このＣＰＵ９ｂで処理された情報の内必要な情報を記憶するためのメモリ９ｃと、ＣＰＵ９ｂで処理された情報を必要に応じて乗場行先釦灯５、かご内行先釦灯６、乗場アナウンス装置７およびかご内アナウンス装置８にそれぞれ出力する出力回路９ｄとを備える。
【００１０】
図２は、この発明の実施の形態１によるエレベータの行先呼び登録装置を示す機能ブロック図である。
入力信号を処理判別して対応する制御信号を出力する制御手段１０と、この制御手段１０に接続され、あらかじめ乗客毎に行く可能性のある行先階を記憶させておく行先階記憶手段１１と、制御手段１０に接続され、乗場行先釦３が操作されるとその階床の乗場行先呼びを登録し、また、かご内行先釦４が操作されるとそのかごのかご行先呼びを登録する行先呼び登録手段１２と、制御手段１０に接続され、制御手段１０からの制御信号に基づいて行先呼びが登録された階の乗場にかごをサービスするエレベータ運転制御手段１３と、このエレベータ運転制御手段１３と制御手段１０に接続され、かごが登録した階床に到着したことを検出して制御手段１０に知らせるかご到着検出手段１４とが設けられ、制御手段１０の入力側に乗場個人認識装置１、かご内個人認識装置２、乗場行先釦３およびかご内行先釦４が電気的に接続され、その出力側に乗場行先釦灯５、かご内行先釦灯６、乗場アナウンス装置７およびかご内アナウンス装置８が電気的に接続される。なお、制御手段１０〜かご到着検出手段１４は、機能上実質的に図１のマイクロコンピュータ９を構成するものである。
【００１１】
次に、動作について、図３のフローチャートを参照して説明する。なお、以下の各ステップにおける判別は、全て制御手段１０で実行される。
まず、乗場の乗客により乗場行先釦３が操作されたか否かを判別し（ステップＳ１）、操作されなければそのまま終了するが、今、例えば１階の乗場行先釦３の１０階が操作されたとすると、ステップＳ２に進んで、乗場個人認識装置１があらかじめ登録した乗客（例えば高齢者）を識別したか否かを判別し、乗場個人認識装置１があらかじめ登録した乗客であることを識別すると、乗場行先釦３で操作された階があらかじめ行先階記憶手段１１に記憶してある階（例えば５階、１０階）と一致したか否かを判別し（ステップＳ７）、記憶してある階と一致すると、ステップＳ３に進み、乗場行先釦３により乗場行先呼びを行先呼び登録手段１２に登録し、このことを乗場行先釦灯５を点灯して乗場の乗客に知らせると共に、登録した階を乗場アナウンス装置７によりアナウンスする。つまり、この場合、１０階の乗場行先呼びを行先呼び登録手段１２に登録し、このことを乗場行先釦灯５を点灯して乗場の乗客に知らせると共に、『１０階が登録されました』と乗場アナウンス装置７からアナウンスする。
【００１２】
次いで、かごが１階に到着したか否かをかご到着検出手段１４からの検出出力に基づき判別し（ステップＳ４）、到着しなければ、到着するまで待機し、到着すると、操作された階のかご内行先呼びをかご内行先釦４により行先呼び登録手段１２に登録し、このことをかご内行先釦灯６を点灯してかご内の乗客に知らせると共に、登録した階をかご内アナウンス装置８によりアナウンスする。つまり、この場合、１０階のかご内行先呼びを行先呼び登録手段１２に登録し、このことをかご内行先釦灯６を点灯してかご内の乗客に知らせると共に、『１０階が登録されました』とかご内アナウンス装置８からアナウンスする（ステップＳ５）。そして、かご内行先階、つまり、この場合、１０階の乗場にエレベータ運転制御手段１３によりかごをサービスさせ（ステップＳ６）、処理を終了する。
【００１３】
一方、ステップＳ７において、乗場行先釦３で操作された階があらかじめ行先階記憶手段１１に記憶してある階と一致しなければ、乗場行先釦３による乗場行先呼びを行先呼び登録手段１２に登録せず、操作した階を確認するように乗場アナウンス装置７によりアナウンスする（ステップＳ８）。即ち、例えば、１階の乗場行先釦３の８階が操作された場合には、８階の乗場行先呼びを行先呼び登録手段１２に登録せず、『８階なので登録されません、８階に行くのであれば再度押してください』と乗場アナウンス装置７からアナウンスする。
【００１４】
次に、あらかじめ行先階記憶手段１１に登録している階または再度同じ乗場行先釦３が操作されたか否かを判別し（ステップＳ９）、登録している階かまたは乗場行先釦３が再度操作されていれば、ステップＳ３に進み、上記と同様の処理を行う。つまり、ステップＳ９で、間違いに気付いて所定時間（例えば５秒）以内（ステップＳ１０のＮＯ）に１０階の乗場行先釦３が操作されれば、ステップＳ３に進んで、１０階の乗場行先呼びが行先呼び登録手段１２に登録され、また、再度８階が操作されれば、同様にステップＳ３に進んで、８階の乗場行先呼びが行先呼び登録手段１２に登録される。次いで、所定時間が経過（ステップＳ１０のＹＥＳ）してもあらかじめ登録した階の乗場行先釦３でなく、または、再度同じ乗場行先釦３が登録されないと、一連の処理動作を終了する。
【００１５】
以上のように、この実施の形態１によれば、あらかじめ乗客毎に行く可能性のある行先階を記憶させておき、乗場に設置された行先釦が操作された時、記憶している行先階と照合し、一致していればその行先階の呼びを登録し、一致していなければその行先階の呼びを登録せずに、アナウンスするようにしたので、行く可能性のある行先階が複数あっても、行く可能性のある行先階とは異なる階の行先釦が操作された場合にはアナウンスすることにより、容易に且つ迅速にその間違いに気付かせることができ、以って、行先呼びの誤登録を未然に防止し、乗客を確実に所望の階まで案内でき、特に、操作間違いを生じやすい高齢者等には有用である。
【００１６】
実施の形態２．
図４は、この発明の実施の形態２によるエレベータの行先呼び登録装置の構成を示すブロック図である。
本実施の形態では、図２の制御手段１０の代わりに制御手段１０Ａを用いる。その他の構成は、図２の場合と同様であるので、その説明を省略する。
【００１７】
次に、動作について、図５のフローチャートを参照して説明する。なお、以下の各ステップにおける判別は、全て制御手段１０Ａで実行される。
まず、乗場の乗客により乗場行先釦３が操作されたか否かを判別し（ステップＳ１１）、操作されなければそのまま終了するが、今、例えば１階の乗場行先釦３の１０階が操作されたとすると、ステップＳ１２に進んで、乗場個人認識装置１があらかじめ登録した乗客（例えば高齢者）を識別したか否かを判別し、乗場個人認識装置１があらかじめ登録した乗客であることを識別すると、乗場行先釦３で操作された階があらかじめ行先階記憶手段１１に記憶してある階（例えば５階、１０階）と一致したか否かを判別し（ステップＳ１７）、記憶してある階と一致すると、ステップＳ１３に進み、乗場行先釦３により乗場行先呼びを行先呼び登録手段１２に登録し、このことを乗場行先釦灯５を点灯して乗場の乗客に知らせると共に、登録した階を乗場アナウンス装置７によりアナウンスする。つまり、この場合、１０階の乗場行先呼びを行先呼び登録手段１２に登録し、このことを乗場行先釦灯５を点灯して乗場の乗客に知らせると共に、『１０階が登録されました』と乗場アナウンス装置７からアナウンスする。
【００１８】
次いで、かごが１階に到着したか否かをかご到着検出手段１４に基づき判別し（ステップＳ１４）、到着しなければ、到着するまで待機し、到着すると、操作された階のかご内行先呼びをかご内行先釦４により行先呼び登録手段１２に登録し、このことをかご内行先釦灯６を点灯してかご内の乗客に知らせると共に、登録した階をかご内アナウンス装置８によりアナウンスする。つまり、この場合、１０階のかご内行先呼びを行先呼び登録手段１２に登録し、このことをかご内行先釦灯６を点灯してかご内の乗客に知らせると共に、『１０階が登録されました』とかご内アナウンス装置８からアナウンスする（ステップＳ１５）。そして、かご内行先階、つまり、この場合、１０階の乗場にエレベータ運転制御手段１３によりかごをサービスさせ（ステップＳ１６）、処理を終了する。
【００１９】
一方、ステップＳ１７において、乗場行先釦３で操作された階があらかじめ行先階記憶手段１１に記憶してある階と一致しなければ、乗場行先釦３による乗場行先呼びを行先呼び登録手段１２に登録し、登録した階を確認するように乗場アナウンス装置７によりアナウンスする（ステップＳ１８）。即ち、例えば、１階の乗場行先釦３の８階が操作された場合には、８階の乗場行先呼びを行先呼び登録手段１２に登録し、『８階が登録されましたが、間違いではありませんか？』と乗場アナウンス装置７によりアナウンスする。
【００２０】
次いで、乗場に設けられた乗場行先釦３が操作されたか否かを判別し（ステップＳ１９）、操作されたらステップＳ１２に戻って上述の動作を繰り返し、操作されなければ、所定時間経過したか否かを判別し（ステップＳ２０）、所定時間経過してなければ、ステップＳ１９に戻って乗場行先釦３が操作されたかの確認を繰り返し、所定時間経過するとステップＳ１４に進んで、上述と同様の動作を繰り返す。即ち、ステップＳ１９で間違いに気付いて所定時間（例えば５秒）以内に１０階の乗場行先釦３が操作されたら、再び、ステップＳ１２に戻り、ステップＳ１７からステップＳ１３に進んで、１０階の乗場行先呼びが行先呼び登録手段１２に登録される。所定時間が経過してもあらかじめ登録した階の乗場行先釦３が登録されないとステップＳ２０からステップＳ１４に進み、８階にかごをサービスすることになる。
【００２１】
以上のように、この実施の形態２によれば、あらかじめ乗客毎に行く可能性のある行先階を記憶させておき、乗場に設置された行先釦が操作された時、記憶している行先階と照合し、一致していれば行先階の呼びを登録し、一致していなければ行先階の呼びを登録すると共にアナウンスするようにしたので、行く可能性のある行先階が複数あっても、行く可能性のある行先階とは異なる階の行先釦が操作された場合にアナウンスにより、容易に且つ迅速にその間違いに気付かせることができ、以って、乗客を確実に所望の階まで案内でき、特に、操作間違いを生じやすい高齢者等には有用である。
【図面の簡単な説明】
【００２２】
【図１】この発明の実施の形態１によるエレベータの行先呼び登録装置を示す全体構成図である。
【図２】この発明の実施の形態１によるエレベータの行先呼び登録装置を示す機能ブロック図である。
【図３】この発明の実施の形態１によるエレベータの行先呼び登録装置の動作を説明するためのフローチャートである。
【図４】この発明の実施の形態２によるエレベータの行先呼び登録装置を示す機能ブロッ成図である。
【図５】この発明の実施の形態２によるエレベータの行先呼び登録装置の動作を説明するためのフローチャートである。
【符号の説明】
【００２３】
１    乗場個人認識装置、２    かご内個人認識装置、３    乗場行先釦、４    かご内行先釦、５    乗場行先釦灯、６    かご内行先釦灯、７    乗場アナウンス装置、８    かご内アナウンス装置、９    マイクロコンピュータ、１０，１０Ａ    制御手段、１１    行先階記憶手段、１２    行先呼び登録手段、１３    エレベータ運転制御手段、１４    かご到着検出手段。
【図１】
2006151540.tif 000003
【図２】
2006151540.tif 000004
【図３】
2006151540.tif 000005
【図４】
2006151540.tif 000006
【図５】
2006151540.tif 000007